【手続補正書】
【提出日】平成27年8月24日(2015.8.24)
【手続補正１】
【補正対象書類名】明細書
【補正対象項目名】０００８
【補正方法】変更
【補正の内容】
【０００８】
上記目的を達成するために本発明は、インクタンクであって、第１電気接点と、第２電気接点と、第３電気接点と、（ａ）前記第１電気接点を介して供給される第１クロック信号および前記第２電気接点を介して供給される第２クロック信号を含む複数種のクロック信号のうちの１種類のクロック信号に同期して前記第３電気接点からデータ信号を受信し、（ｂ）受信したデータ信号に含まれるコマンドを実行する制御部と、前記第１電気接点と電気的に接続され、前記第１クロック信号が入力される第１ダイオードと、前記第２電気接点と電気的に接続され、前記第２クロック信号が入力される第２ダイオードと、前記第１ダイオード、前記第２ダイオードおよび前記制御部に接続されている電源供給ラインであって、前記第１ダイオードからの出力と前記第２ダイオードからの出力とを利用して、前記制御部への電源供給を行う電源供給ラインと、を備えたことを特徴とする。
【手続補正２】
【補正対象書類名】特許請求の範囲
【補正対象項目名】全文
【補正方法】変更
【補正の内容】
【特許請求の範囲】
【請求項１】
インクタンクであって、
第１電気接点と、
第２電気接点と、
第３電気接点と、
（ａ）前記第１電気接点を介して供給される第１クロック信号および前記第２電気接点を介して供給される第２クロック信号を含む複数種のクロック信号のうちの１種類のクロック信号に同期して前記第３電気接点からデータ信号を受信し、（ｂ）受信したデータ信号に含まれるコマンドを実行する制御部と、
前記第１電気接点と電気的に接続され、前記第１クロック信号が入力される第１ダイオードと、
前記第２電気接点と電気的に接続され、前記第２クロック信号が入力される第２ダイオードと、
前記第１ダイオード、前記第２ダイオードおよび前記制御部に接続されている電源供給ラインであって、前記第１ダイオードからの出力と前記第２ダイオードからの出力とを利用して、前記制御部への電源供給を行う電源供給ラインと、
を備えたことを特徴とするインクタンク。
【請求項２】
前記制御部は、
前記第１ダイオードを介して前記第１電気接点から供給される第１クロック信号と、前記第２ダイオードを介して前記第２電気接点から供給される第２クロック信号とを含む前記複数種のクロック信号のうち前記データ信号の受信に利用される前記１種類のクロック信号を決定する決定部と、
前記決定部によって決定された前記１種類のクロック信号に同期して前記データ信号を受信し、受信したデータ信号に含まれるコマンドを実行するコマンド実行部と、
を備えることを特徴とする請求項１に記載のインクタンク。
【請求項３】
前記１種類のクロック信号に対応したクロック信号指定情報を格納するメモリを備え、
前記決定部は、前記メモリから読み出した前記クロック信号指定情報に対応した前記１種類のクロック信号を、前記データ信号の受信に利用される前記１種類のクロック信号として決定することを特徴とする請求項２に記載のインクタンク。
【請求項４】
前記データ信号には、前記第１クロック信号および前記第２クロック信号を含む前記複数種のクロック信号から選択された前記１種類のクロック信号に対応したクロック信号指定情報が含まれており、
前記制御部は、前記データ信号に含まれているクロック信号指定情報を前記メモリに書き込むことで前記メモリ内のクロック信号指定情報を更新可能に構成されていることを特徴とする請求項３に記載のインクタンク。
【請求項５】
前記制御部は、
前記第１クロック信号と前記第２クロック信号とに基づいて第３クロック信号を生成する生成部と、
前記第１ダイオードを介して前記第１電気接点から供給される第１クロック信号と、前記第２ダイオードを介して前記第２電気接点から供給される第２クロック信号と、前記生成部から供給される第３クロック信号と、を含む前記複数種のクロック信号のうち前記データ信号の受信に利用される前記１種類のクロック信号を決定する決定部と、
前記決定部によって決定された前記１種類のクロック信号に同期して前記データ信号を受信し、受信したデータ信号に含まれるコマンドを実行するコマンド実行部と、
を備えることを特徴とする請求項１に記載のインクタンク。
【請求項６】
前記１種類のクロック信号に対応したクロック信号指定情報を格納するメモリを備え、
前記決定部は、前記メモリから読み出した前記クロック信号指定情報に対応した前記１種類のクロック信号を、前記データ信号の受信に利用される前記１種類のクロック信号として決定することを特徴とする請求項５に記載のインクタンク。
【請求項７】
前記データ信号には、前記第１クロック信号、前記第２クロック信号および前記第３クロック信号を含む前記複数種のクロック信号から選択された前記１種類のクロック信号に対応したクロック信号指定情報が含まれており、
前記制御部は、前記データ信号に含まれているクロック信号指定情報を前記メモリに書き込むことで前記メモリ内のクロック信号指定情報を更新可能に構成されていることを特徴とする請求項６に記載のインクタンク
【請求項８】
発光部と、
前記発光部に電源を供給するための第４電気接点と、
を備えることを特徴とする請求項１乃至７のいずれかに記載のインクタンク。
【請求項９】
発光部と、
前記発光部に電源を供給するための第４電気接点と、
メモリと、
を備え、
前記制御部は、前記データ信号に含まれるコマンドが発光コマンドの場合には前記発光部の発光を制御し、前記データ信号に含まれるコマンドが読み出しコマンドの場合には前記メモリからの情報の読み出しを制御し、前記データ信号に含まれるコマンドが書き込みコマンドの場合には前記メモリへの情報の書き込みを制御することを特徴とする請求項１に記載のインクタンク。
【請求項１０】
請求項１乃至８のいずれかに記載のインクタンクと、
前記インクタンクが取り外し可能に装着され得る装着部と、
前記第１電気接点と電気的に接続可能な第１本体側接点と、
前記第１本体側接点と接続されている第１クロック配線と、
前記第２電気接点と電気的に接続可能な第２本体側接点と、
前記第２本体側接点と接続されている第２クロック配線と、
前記第３電気接点と電気的に接続可能な第３本体側接点と、
前記第３本体側接点と接続されているデータ信号配線と、
前記第１クロック配線に前記第１クロック信号を送信し、前記第２クロック配線に前記第２クロック信号を送信し、前記データ信号配線に前記データ信号を送信するための本体側制御手段と、
を備えたことを特徴とするインクジェット記録装置。
【請求項１１】
前記本体側制御手段は、前記複数種のクロック信号から前記１種類のクロック信号を選択し、選択した１種類のクロック信号に対応したクロック信号指定情報を含むデータ信号を生成し、選択した１種類のクロック信号を生成し、生成した１種類のクロック信号に同期させて前記生成したデータ信号を前記データ信号配線に送信することを特徴とする請求項１０に記載のインクジェット記録装置。
【請求項１２】
前記本体側制御手段は、前記第１クロック信号と前記第２クロック信号とを合成した合成波形の電圧が前記制御部の動作可能電圧以下とならないように、前記第１クロック信号と前記第２クロック信号を生成することを特徴とする請求項１０または１１に記載のインクジェット記録装置。
【請求項１３】
請求項９の記載のインクタンクと、
前記インクタンクが取り外し可能に装着され得る装着部と、
前記第１電気接点と電気的に接続可能な第１本体側接点と、
前記第１本体側接点と接続されている第１クロック配線と、
前記第２電気接点と電気的に接続可能な第２本体側接点と、
前記第２本体側接点と接続されている第２クロック配線と、
前記第３電気接点と電気的に接続可能な第３本体側接点と、
前記第３本体側接点と接続されているデータ信号配線と、
前記第４電気接点と電気的に接続可能な第４本体側接点と、
前記第４本体側接点と接続されている電源専用配線と、
前記第１クロック配線に前記第１クロック信号を送信し、前記第２クロック配線に前記第２クロック信号を送信し、前記データ信号配線に前記データ信号を送信し、前記電源専用配線に電源を供給するための本体側制御手段と、
を備えたことを特徴とするインクジェット記録装置。
【請求項１４】
前記本体側制御手段は、発光コマンドを含むデータ信号を送信する場合には前記電源専用配線に前記電源を供給するように、且つ、前記読み出しコマンドあるいは前記書き込みコマンドを含むデータ信号を送信する場合には前記電源専用配線に前記電源を供給しないように、前記電源の供給を制御することを特徴とする請求項１３に記載のインクジェット記録装置。
【請求項１５】
インクタンクであって、
第１電気接点と、
第２電気接点と、
第３電気接点と、
制御部と、
前記第１電気接点と前記制御部とを電気的に接続する第１信号線であって、
前記第１電気接点から供給される第１電気信号を前記制御部へ送信可能な第１信号線と、
前記第２電気接点と前記制御部とを電気的に接続する第２信号線であって、
前記第２電気接点から供給される第２電気信号を前記制御部へ送信可能な第２信号線と、
前記第３電気接点と前記制御部とを電気的に接続する第３信号線であって、
前記第３電気接点から供給される第３電気信号を前記制御部へ送信可能な前記第１信号線と、前記第１電気接点から供給される前記第１電気信号と前記第２電気接点から供給される前記第２電気信号を利用して前記制御部への電源供給を行う電源ラインと、
を備え、
前記制御部は、
（ｉ）前記第１信号線を介して供給される前記第１電気信号と、前記第２信号線を介して供給される前記第２電気信号のいずれをクロック信号として利用するかを決定し、
（ｉｉ）  決定したクロック信号に同期して前記第３信号線を介して前記第３電気信号を受信し、前記第３電気信号に含まれるコマンドを実行することを特徴とするインクタンク。
【請求項１６】
インクタンクであって、
第１電気接点と、
第２電気接点と、
第３電気接点と、
制御部と、
前記第１電気接点と前記制御部とを電気的に接続する第１信号線であって、
前記第１電気接点から供給される第１電気信号を前記制御部へ送信可能な第１信号線と、
前記第２電気接点と前記制御部とを電気的に接続する第２信号線であって、
前記第２電気接点から供給される第２電気信号を前記制御部へ送信可能な第２信号線と、
前記第３電気接点と前記制御部とを電気的に接続する第３信号線であって、
前記第３電気接点から供給される第３電気信号を前記制御部へ送信可能な前記第１信号線と、前記第１電気接点から供給される前記第１電気信号と前記第２電気接点から供給される前記第２電気信号を利用して前記制御部への電源供給を行う電源ラインと、
を備え、
前記制御部は、
（ｉ）前記第１信号線を介して供給される前記第１電気信号と、前記第２信号線を介して供給される前記第２電気信号と、に基づいて第４電気信号を生成し、
（ｉｉ）前記第１電気信号と前記第２電気信号と前記第４電気信号のいずれをクロック信号として利用するかを決定し、
（ｉｉｉ）決定したクロック信号に同期して前記第３信号線から前記第３電気信号を受信し、前記第３電気信号に含まれるコマンドを実行することを特徴とするインクタンク。